(57)【要約】【課題】冷媒配管を樹脂で覆い冷却対象物を効率よく冷却する冷却装置及び冷却方法を提供する。【解決手段】冷却対象物１１に当接させる第１の面１３が平面状となった樹脂製のボード１４と、ボード１４内に配置されて内部に冷媒を流す冷媒配管１５と、冷媒配管１５に冷媒を送る冷媒冷却手段１９とを有し、しかも、冷媒配管１５から冷却対象物１１の当接する第１の面１３への総合熱伝達率が、その裏面側の第２の面２１に対する総合熱伝達率より大きくなっている。【選択図】        図１
2004347296.tif 000002
【特許請求の範囲】
【請求項１】
冷却対象物に当接させる第１の面が平面状となった樹脂製のボードと、
前記ボード内に配置されて内部に冷媒を流す冷媒配管と、
前記冷媒配管に冷媒を送る冷媒冷却手段とを有し、
しかも、前記冷媒配管から前記冷却対象物の当接する第１の面への総合熱伝達率が、その裏面側の第２の面に対する総合熱伝達率より大きくなっていることを特徴とする冷却装置。
【請求項２】
冷却対象物を載せる第１の面を有する樹脂製のボードと、
前記ボード内に配置されて内部に冷媒を流す冷媒配管と、
前記冷媒配管に冷媒を送る冷媒冷却手段とを有し、
しかも、前記冷媒配管から前記冷却対象物の当接する第１の面への総合熱伝達率が、その裏面側の第２の面に対する総合熱伝達率より大きくなっていることを特徴とする冷却装置。
【請求項３】
請求項１及び２のいずれか１項に記載の冷却装置において、前記冷媒配管は、前記ボード内で前記第１の面側に近づけて配置されていることを特徴とする冷却装置。
【請求項４】
請求項１〜３のいずれか１項に記載の冷却装置において、前記冷媒配管を基準として、前記ボードの前記第１の面側には、該ボードを構成する樹脂よりも熱伝導率の良好な物質が混入された熱伝導部が形成されていることを特徴とする冷却装置。
【請求項５】
請求項１〜４のいずれか１項に記載の冷却装置において、前記冷媒配管を基準として、前記ボードの前記第２の面側には、（１）該ボードを構成する樹脂よりも熱伝導率の悪い物質が混入された断熱部、（２）前記ボード内に気泡を含有させた断熱部、及び（３）前記ボードを構成する樹脂よりも熱伝導率の悪い物質が混入された断熱部と前記ボード内に気泡を含有させた断熱部のいずれか１が設けられていることを特徴とする冷却装置。
【請求項６】
冷却対象物の通る供給配管と、
前記供給配管の周囲に設けられる冷媒配管と、
前記供給配管と前記冷媒配管との隙間を充填し、かつ、前記供給配管及び前記冷媒配管を密着して覆う樹脂体と、
前記冷媒配管に冷媒を送る冷媒冷却手段とを有し、
しかも、前記樹脂体の前記供給配管と前記冷媒配管との間の総合熱伝達率が、前記樹脂体の前記冷媒配管から外側の総合熱伝達率より大きくなっていることを特徴とする冷却装置。
【請求項７】
請求項６記載の冷却装置において、前記樹脂体の前記供給配管と前記冷媒配管との間には、該樹脂体を構成する樹脂よりも熱伝導率の良好な物質が混入された熱伝導部が形成されていることを特徴とする冷却装置。
【請求項８】
請求項６及び７のいずれか１項に記載の冷却装置において、前記樹脂体の前記冷媒配管から外側には、（１）該樹脂体を構成する樹脂よりも熱伝導率の悪い物質が混入された断熱部、（２）前記樹脂体内に気泡を含有させた断熱部、及び（３）前記樹脂体を構成する樹脂よりも熱伝導率の悪い物質が混入された断熱部と前記樹脂体に気泡を含有させた断熱部のいずれか１が設けられていることを特徴とする冷却装置。
【請求項９】
冷却対象物の周囲に設けられる冷媒配管と、
前記冷却対象物と前記冷媒配管との隙間を充填し、かつ、前記冷却対象物及び前記冷媒配管を密着して覆う樹脂体と、
前記冷媒配管に冷媒を送る冷媒冷却手段とを有し、
しかも、前記樹脂体の前記冷却対象物と前記冷媒配管との間の総合熱伝達率が、前記樹脂体の前記冷媒配管から外側の総合熱伝達率より大きくなっていることを特徴とする冷却装置。
【請求項１０】
請求項９記載の冷却装置において、前記樹脂体の前記冷却対象物と前記冷媒配管との間には、該樹脂体を構成する樹脂よりも熱伝導率の良好な物質が混入された熱伝導部が形成されていることを特徴とする冷却装置。
【請求項１１】
請求項９及び１０のいずれか１項に記載の冷却装置において、前記樹脂体の前記冷媒配管から外側には、（１）該樹脂体を構成する樹脂よりも熱伝導率の悪い物質が混入された断熱部、（２）前記樹脂体内に気泡を含有させた断熱部、及び（３）前記樹脂体を構成する樹脂よりも熱伝導率の悪い物質が混入された断熱部と前記樹脂体に気泡を含有させた断熱部のいずれか１が設けられていることを特徴とする冷却装置。
【請求項１２】
冷却対象物に当接させる第１の面が平面状となった樹脂製のボード又は冷却対象物を載せる第１の面を有する樹脂製のボードに前記冷却対象物を当接させ、前記ボード内に配置された冷媒配管内に冷媒冷却手段から冷媒を送り、しかも、前記ボードは、前記冷媒配管から前記冷却対象物の当接する第１の面への総合熱伝達率が、その裏面側の第２の面に対する総合熱伝達率より大きく形成され、前記ボードを介して、前記冷却対象物を効率よく冷却することを特徴とする冷却方法。
【請求項１３】
冷却対象物の通る供給配管の周囲に設けられる冷媒配管に冷媒冷却手段から冷媒を送り、しかも、前記供給配管と前記冷媒配管との隙間を充填し、かつ、前記供給配管及び前記冷媒配管を密着して覆う樹脂体は、前記供給配管と前記冷媒配管との間の総合熱伝達率が、前記樹脂体の前記冷媒配管から外側の総合熱伝達率より大きく形成され、前記樹脂体を介して、前記冷却対象物を効率よく冷却することを特徴とする冷却方法。
【請求項１４】
冷却対象物の周囲に設けられる冷媒配管に冷媒冷却手段から冷媒を送り、しかも、前記冷却対象物と前記冷媒配管との隙間を充填し、かつ、前記冷却対象物及び前記冷媒配管を密着して覆う樹脂体は、前記冷却対象物と前記冷媒配管との間の総合熱伝達率が、前記樹脂体の前記冷媒配管から外側の総合熱伝達率より大きく形成され、前記樹脂体を介して、前記冷却対象物を効率よく冷却することを特徴とする冷却方法。
【発明の詳細な説明】
【０００１】
【発明の属する技術分野】
本発明は、冷媒配管を樹脂で覆った冷却装置及び冷却方法に関する。
【０００２】
【従来の技術】
従来、冷媒を通す冷媒配管を用いて様々な冷却対象物を冷却する冷却装置が知られている。
例えば、遺体を収納する棺桶内を冷却するために、冷却手段を設けた棺桶の蓋や、棺桶の側板や底板から冷風を供給して棺桶内を冷却する装置がある。例えば、特許文献１には、本体ケースに予め格納された冷凍機と、冷凍機より本体ケースの外部へ延びる変形自在な冷媒配管に予め一体に接続され、周囲温度を冷却する冷却ユニットを有し、冷却ユニットは棺桶の内部に着脱可能に取付けられている棺桶冷却装置が開示されている。
【０００３】
また、特許文献２では、食材等を収納するための前面がガラス張りとなった陳列室の下面側に、圧縮機、凝縮器及び冷却器等からなる冷凍サイクルを設置する機械室が配置され、冷却器で冷却された空気を、陳列室に設けられた通路を通過させて、陳列室を冷却する冷蔵ショーケースが開示されている。
更に、冷却対象物に冷媒を通す冷媒配管を密着して巻き付け、冷却対象物を冷却する冷却装置として、例えば、特許文献３には、密閉形ユニットケースにコンデンサ群を組み込んだ電力制御回路用コンデンサユニットを冷却対象物とし、電力制御回路用コンデンサユニットに外部より冷媒液を流す冷媒通流管を密着して巻付け、電力制御回路用コンデンサユニットを冷却する電力制御回路用コンデンサユニットの冷却装置が開示されている。
【０００４】
【特許文献１】
特開２００２−３３６３１２号公報
【特許文献２】
特開平１１−６３７６７号公報
【特許文献３】
特開平８−６４４５９号公報
【０００５】
【発明が解決しようとする課題】
しかしながら、特許文献１〜３では、冷媒配管の周りは空気で覆われ、冷媒配管から冷却対象物までの熱伝達が悪く、冷却対象物が効率よく冷却されないという問題があった。しかも、冷媒配管に０℃よりも低い温度の冷媒を通過させた際には、冷媒配管の周囲に存在する空気中の水分が霜となって、冷媒配管の外側管面に氷の層を形成し、この氷の層によって冷媒配管の周囲の温度は、０℃、若しくは−２〜−５℃程度までしか下がらず、冷却対象物を−５℃よりも低い温度まで冷却できないという問題があった。
本発明はかかる事情に鑑みてなされたもので、冷媒配管を樹脂で覆い冷却対象物を効率よく冷却する冷却装置及び冷却方法を提供することを目的とする。
【０００６】
【課題を解決するための手段】
前記目的に沿う第１の発明に係る冷却装置は、冷却対象物に当接させる第１の面が平面状となった樹脂製のボードと、
前記ボード内に配置されて内部に冷媒を流す冷媒配管と、
前記冷媒配管に冷媒を送る冷媒冷却手段とを有し、
しかも、前記冷媒配管から前記冷却対象物の当接する第１の面への総合熱伝達率が、その裏面側の第２の面に対する総合熱伝達率より大きくなっている。
【０００７】
これによって、周囲が樹脂で覆われた冷媒配管に０℃未満の冷媒を通した場合、冷媒配管の外側管面が空気中の水分と触れることがないので、外側管面は凍り付かず、ボードを０℃未満に冷却することができる。また、冷媒配管から冷却対象物の当接する第１の面への総合熱伝達率が、その裏面側の第２の面に対する総合熱伝達率より大きくなっているので、冷却対象物を効率よく冷却することができる。また、第１の面が平面となっているので、冷却対象物を、第１の面に当接し易くなる。
【０００８】
ここで、熱伝達とは、熱伝導、熱の対流、及び熱放射による熱の伝達であり、本発明の場合には、熱はほとんどが熱伝導によって伝達される。第１の面への総合熱伝達率を、第２の面に対する総合熱伝達率より大きくするために、例えば、第１の面から冷媒配管までの距離を、第２の面から冷媒配管までの距離よりも小さくしたり、冷媒配管を基準として、第１の面側に熱伝導率の良好な物質を混入したり、また、第２の面側に熱伝導率の悪い物質を混入したりしてもよい。
また、ボードを構成する樹脂としては、例えば、ポリスチレン、ウレタン、及びシリコン等が用いられる。冷媒配管としては、熱伝達率のよい金属が好適に用いられる。
【０００９】
前記目的に沿う第２の発明に係る冷却装置は、冷却対象物を載せる第１の面を有する樹脂製のボードと、
前記ボード内に配置されて内部に冷媒を流す冷媒配管と、
前記冷媒配管に冷媒を送る冷媒冷却手段とを有し、
しかも、前記冷媒配管から前記冷却対象物の当接する第１の面への総合熱伝達率が、その裏面側の第２の面に対する総合熱伝達率より大きくなっている。
【００１０】
これによって、周囲が樹脂で覆われた冷媒配管に０℃未満の冷媒を通した場合、冷媒配管の外側管面が空気中の水分と触れることがないので、外側管面は凍り付かず、ボードを０℃未満に冷却することができる。また、冷媒配管から冷却対象物の当接する第１の面への総合熱伝達率が、その裏面側の第２の面に対する総合熱伝達率より大きくなっているので、冷却対象物を効率よく冷却することができる。
【００１１】
第１及び第２の発明に係る冷却装置において、前記冷媒配管は、前記ボード内で前記第１の面側に近づけて配置してもよい。
これによって、冷媒配管から冷却対象物の当接する第１の面への総合熱伝達率を、その裏面側の第２の面に対する総合熱伝達率より大きくすることができ、冷却対象物を効率よく冷却することができる。
【００１２】
第１及び第２の発明に係る冷却装置において、前記冷媒配管を基準として、前記ボードの前記第１の面側には、該ボードを構成する樹脂よりも熱伝導率の良好な物質が混入された熱伝導部を形成してもよい。
これによって、熱伝導が良好な熱伝導部が冷却され、その周りのボードが冷却され、ボードを介して、冷却対象物が効率よく冷却される。
ここで、熱伝導率の良好な物質としては、例えば、アルミニウム、鉄等の金属があり、これらの粉末、粒、線材及び板材が好適に用いられる。また、ボードを構成する樹脂よりも熱伝導率の良好な樹脂を用いてもよい。
【００１３】
第１及び第２の発明に係る冷却装置において、前記冷媒配管を基準として、前記ボードの前記第２の面側には、（１）該ボードを構成する樹脂よりも熱伝導率の悪い物質が混入された断熱部、（２）前記ボード内に気泡を含有させた断熱部、及び（３）前記ボードを構成する樹脂よりも熱伝導率の悪い物質が混入された断熱部と前記ボード内に気泡を含有させた断熱部のいずれか１を設けてもよい。
【００１４】
これによって、熱伝導率の悪い断熱部によって、冷却対象物と接しない第２の面側は冷却されず、第１の面を冷却することができる。
ここで、熱伝導率の悪い物質としては、例えば、レンガ、ガラス等があり、これらの粉末、粒、線材及び板材が好適に用いられる。また、樹脂中に気泡を形成させ、熱伝導率を低下させてもよく、また、内部に気泡を有する発泡ポリスチレン等を第２の面に取付けてもよい。
【００１５】
前記目的に沿う第３の発明に係る冷却装置は、冷却対象物の通る供給配管と、
前記供給配管の周囲に設けられる冷媒配管と、
前記供給配管と前記冷媒配管との隙間を充填し、かつ、前記供給配管及び前記冷媒配管を密着して覆う樹脂体と、
前記冷媒配管に冷媒を送る冷媒冷却手段とを有し、
しかも、前記樹脂体の前記供給配管と前記冷媒配管との間の総合熱伝達率が、前記樹脂体の前記冷媒配管から外側の総合熱伝達率より大きくなっている。
【００１６】
これによって、周囲が樹脂で覆われた冷媒配管に０℃未満の冷媒を通した場合、冷媒配管の外側管面が空気中の水分と触れることがないので、外側管面は凍り付かず、樹脂体を０℃未満に冷却することができる。また、樹脂体の供給配管と冷媒配管との間の総合熱伝達率が、樹脂体の冷媒配管から外側の総合熱伝達率より大きくなっているので、冷却対象物を効率よく冷却することができる。
【００１７】
ここで、冷媒配管は、供給配管の周囲に密着して巻き付けるのがよい。その場合には、樹脂体の供給配管と冷媒配管との間が最小になる。また、冷媒配管は、供給配管と距離を空けて配置してもよいが、熱の伝達が悪くなる。
樹脂体の供給配管と冷媒配管との間の総合熱伝達率を、樹脂体の冷媒配管から外側の総合熱伝達率より大きくするために、供給配管及び冷媒配管を密着して覆う樹脂体の厚みを大きくしたり、樹脂体の供給配管と冷媒配管との間に熱伝導率の良好な物質を混入したり、また、樹脂体の冷媒配管から外側に熱伝導率の悪い物質を混入したりしてもよい。
また、樹脂体としては、例えば、ポリスチレン、ウレタン、及びシリコン等が用いられる。冷媒配管としては、熱伝達率のよい金属が好適に用いられる。
【００１８】
第３の発明に係る冷却装置において、前記樹脂体の前記供給配管と前記冷媒配管との間には、該樹脂体を構成する樹脂よりも熱伝導率の良好な物質が混入された熱伝導部を形成してもよい。
これによって、熱伝導が良好な熱伝導部が冷却され、その周りの樹脂体が冷却され、樹脂体を介して、冷却対象物が効率よく冷却される。
ここで、熱伝導率の良好な物質としては、例えば、アルミニウム、鉄等の金属があり、これらの粉末、粒、線材及び板材が好適に用いられる。また、樹脂体を構成する樹脂よりも熱伝導率の良好な樹脂を用いてもよい。
【００１９】
第３の発明に係る冷却装置において、前記樹脂体の前記冷媒配管から外側には、
（１）該樹脂体を構成する樹脂よりも熱伝導率の悪い物質が混入された断熱部、
（２）前記樹脂体内に気泡を含有させた断熱部、及び（３）前記樹脂体を構成する樹脂よりも熱伝導率の悪い物質が混入された断熱部と前記樹脂体に気泡を含有させた断熱部のいずれか１を設けてもよい。
【００２０】
これによって、熱伝導率の悪い断熱部によって、冷却対象物と接しない樹脂体の冷媒配管から外側は冷却されず、樹脂体の供給配管と冷媒配管との間を冷却することができる。
ここで、熱伝導率の悪い物質としては、例えば、レンガ、ガラス等があり、これらの粉末、粒、線材及び板材が好適に用いられる。また、樹脂中に気泡を形成させ、熱伝導率を低下させてもよく、また、内部に気泡を有する発泡ポリスチレン等を樹脂体の冷媒配管から外側に取付けてもよい。
【００２１】
前記目的に沿う第４の発明に係る冷却装置は、冷却対象物の周囲に設けられる冷媒配管と、
前記冷却対象物と前記冷媒配管との隙間を充填し、かつ、前記冷却対象物及び前記冷媒配管を密着して覆う樹脂体と、
前記冷媒配管に冷媒を送る冷媒冷却手段とを有し、
しかも、前記樹脂体の前記冷却対象物と前記冷媒配管との間の総合熱伝達率が、前記樹脂体の前記冷媒配管から外側の総合熱伝達率より大きくなっている。
【００２２】
これによって、周囲が樹脂で覆われた冷媒配管に０℃未満の冷媒を通した場合、冷媒配管の外側管面が空気中の水分と触れることがないので、外側管面は凍り付かず、樹脂体を０℃未満に冷却することができる。また、樹脂体の冷却対象物と冷媒配管との間の総合熱伝達率が、樹脂体の冷媒配管から外側の総合熱伝達率より大きくなっているので、冷却対象物を効率よく冷却することができる。
【００２３】
第４の発明に係る冷却装置において、前記樹脂体の前記冷却対象物と前記冷媒配管との間には、該樹脂体を構成する樹脂よりも熱伝導率の良好な物質が混入された熱伝導部を形成してもよい。
これによって、熱伝導が良好な熱伝導部が冷却され、その周りの樹脂体が冷却され、樹脂体を介して、冷却対象物が効率よく冷却される。
ここで、熱伝導率の良好な物質としては、例えば、アルミニウム、鉄等の金属があり、これらの粉末、粒、線材及び板材が好適に用いられる。また、樹脂体を構成する樹脂よりも熱伝導率の良好な樹脂を用いてもよい。
【００２４】
第４の発明に係る冷却装置において、前記樹脂体の前記冷媒配管から外側には、
（１）該樹脂体を構成する樹脂よりも熱伝導率の悪い物質が混入された断熱部、
（２）前記樹脂体内に気泡を含有させた断熱部、及び（３）前記樹脂体を構成する樹脂よりも熱伝導率の悪い物質が混入された断熱部と前記樹脂体に気泡を含有させた断熱部のいずれか１を設けてもよい。
【００２５】
これによって、熱伝導率の悪い断熱部によって、冷却対象物と接しない樹脂体の冷媒配管から外側は冷却されず、冷却対象物と冷媒配管との間の樹脂体を冷却することができる。
ここで、熱伝導率の悪い物質としては、例えば、レンガ、ガラス等があり、これらの粉末、粒、線材及び板材が好適に用いられる。また、樹脂中に気泡を形成させ、熱伝導率を低下させてもよく、また、内部に気泡を有する発泡ポリスチレン等を樹脂体の冷媒配管から外側に取付けてもよい。
【００２６】
前記目的に沿う第５の発明に係る冷却方法は、冷却対象物に当接させる第１の面が平面状となった樹脂製のボード又は冷却対象物を載せる第１の面を有する樹脂製のボードに前記冷却対象物を当接させ、前記ボード内に配置された冷媒配管内に冷媒冷却手段から冷媒を送り、しかも、前記ボードは、前記冷媒配管から前記冷却対象物の当接する第１の面への総合熱伝達率が、その裏面側の第２の面に対する総合熱伝達率より大きく形成され、前記ボードを介して、前記冷却対象物を効率よく冷却する。
【００２７】
これによって、樹脂製のボード内に配置された冷媒配管内に冷媒を送るだけで、ボードに当接した又はボードに載せた冷却対象物を冷却することができる。冷媒配管が樹脂で覆われ、空気と接触しないので、冷媒配管が凍らず、冷媒配管に０℃未満の冷媒を通した場合、ボードを０℃未満に冷却することができる。また、冷媒配管から冷却対象物の当接する第１の面への総合熱伝達率と、その裏面側の第２の面に対する総合熱伝達率の違いにより、第１の面を第２の面よりも低温に冷却することができる。
【００２８】
前記目的に沿う第６の発明に係る冷却方法は、冷却対象物の通る供給配管の周囲に設けられる冷媒配管に冷媒冷却手段から冷媒を送り、しかも、前記供給配管と前記冷媒配管との隙間を充填し、かつ、前記供給配管及び前記冷媒配管を密着して覆う樹脂体は、前記供給配管と前記冷媒配管との間の総合熱伝達率が、前記樹脂体の前記冷媒配管から外側の総合熱伝達率より大きく形成され、前記樹脂体を介して、前記冷却対象物を効率よく冷却する。
【００２９】
これによって、供給配管の周囲に設けた冷媒配管内に冷媒を送るだけで、供給配管内の冷却対象物を冷却することができる。冷媒配管は、樹脂体で覆われ、空気と接触しないので、冷媒配管が凍らず、冷媒配管に０℃未満の冷媒を通した場合、樹脂体を０℃未満に冷却することができる。また、樹脂体の供給配管と冷媒配管との間の総合熱伝達率と、樹脂体の冷媒配管から外側の総合熱伝達率の違いにより、樹脂体の供給配管と冷媒配管との間を、樹脂体の冷媒配管から外側よりも低温に冷却することができる。
【００３０】
前記目的に沿う第７の発明に係る冷却方法は、冷却対象物の周囲に設けられる冷媒配管に冷媒冷却手段から冷媒を送り、しかも、前記冷却対象物と前記冷媒配管との隙間を充填し、かつ、前記冷却対象物及び前記冷媒配管を密着して覆う樹脂体は、前記冷却対象物と前記冷媒配管との間の総合熱伝達率が、前記樹脂体の前記冷媒配管から外側の総合熱伝達率より大きく形成され、前記樹脂体を介して、前記冷却対象物を効率よく冷却する。
【００３１】
これによって、冷却対象物の周囲に設けた冷媒配管内に冷媒を送るだけで、冷却対象物を冷却することができる。冷媒配管は、樹脂体で覆われ、空気と接触しないので、冷媒配管が凍らず、冷媒配管に０℃未満の冷媒を通した場合、樹脂体を０℃未満に冷却することができる。また、樹脂体の冷却対象物と冷媒配管との間の総合熱伝達率と、樹脂体の冷媒配管から外側の総合熱伝達率の違いにより、樹脂体の冷却対象物と冷媒配管との間を、樹脂体の冷媒配管から外側よりも低温に冷却することができる。
【００３２】
【発明の実施の形態】
続いて、添付した図面を参照しつつ、本発明を具体化した実施の形態につき説明し、本発明の理解に供する。
ここで、図１は本発明の第１の実施の形態に係る冷却装置の側断面図、図２は同冷却装置の冷媒配管を配置した樹脂製のボードの平断面図、図３、図４は本発明の第２の実施の形態に係る冷却装置の斜視図、図５は同冷却装置の平断面図、図６は同冷却装置の側断面図、図７は本発明の第３の実施の形態に係る冷却装置の説明図、図８は同冷却装置の要部断面図、図９は本発明の第４の実施の形態に係る冷却装置の説明図である。
【００３３】
図１及び図２を参照して、本発明の第１の実施の形態に係る冷却装置１０について説明する。
図１及び図２に示すように、冷却装置１０は、冷却対象物の一例である棺桶１１を載せ、棺桶１１の底板１２から棺桶１１を冷却する装置である。冷却装置１０は、棺桶１１を載せ、棺桶１１の底板１２が当接する第１の面１３が平面状となり、棺桶１１の底面１２と実質的に同じ広さの樹脂製、例えば、ポリスチレンで形成されたボード１４を有している。ボード１４内には、内部に冷媒を流す冷媒配管１５が配置されている。
【００３４】
更に、冷媒配管１５の両端部には、継ぎ手１６、１７が設けられ、継ぎ手１６、１７にそれぞれ取付けられたフレキシブルチューブ１８、１８ａを介して、冷媒配管１５に例えば、液体アンモニア、フレオンガス等の冷媒を送る冷媒冷却手段の一例である冷凍機１９が接続されている。冷凍機１９は、従来から知られている蒸発圧縮方式であり、冷凍機１９内で冷却された冷媒を、フレキシブルチューブ１８ａ、継ぎ手１７、冷媒配管１５、継ぎ手１６、及びフレキシブルチューブ１８を通しながら循環させている。なお、冷凍機は、冷媒を冷媒配管１５内に循環させるものであればよい。
【００３５】
図１に示すように、ボード１４内の冷媒配管１５は、第１の面１３に近づけて配置されている。また、冷媒配管１５を基準として、ボード１４の第１の面１３側には、ボード１４を構成する樹脂よりも熱伝導率の良好な物質、例えば、アルミニウムの線材が混入され、熱伝導部２０が形成されている。更に、ボード１４の第１の面１３側の裏面である第２の面２１側には、ボード１４を構成する樹脂よりも熱伝導率の悪い物質、例えば、レンガの粒が混入され、断熱部２２が形成されている。これらによって、冷媒配管１５から棺桶１１の底板１２に当接する第１の面１３への総合熱伝達率が、その裏面側の第２の面２１に対する総合熱伝達率より大きくなっている。なお、ボード１４の側面及び第２の面２１に紙、布、及び板等を取付け、外観をよくしてもよい。
【００３６】
次に、冷却装置１０を使用した棺桶１１の冷却方法について説明する。
図１に示すように、冷凍機１９から送られる冷媒は、フレキシブルチューブ１８、１８ａ、継ぎ手１６、１７を介して、冷媒配管１５に循環して供給され、熱伝導により、樹脂製のボード１４が直接冷却される。更に、冷却されたボード１４の熱伝導によって、棺桶１１の底板１２が冷却され、棺桶１１内が冷却される。このように、ボード１４内に空気層と接触しないように密着して冷媒配管１５が設けられることにより、空気を媒介させることなく、冷却された冷媒配管１５からボード１４への熱伝導が行われるので、熱伝導の効率がよくなる。したがって、棺桶１１内に収納された遺体を効率よく冷却することができる。
【００３７】
更に、ボード１４内の冷媒配管１５は、第１の面１３に近づけて配置されているので、冷媒配管１５の熱は第１の面１３に伝わりやすい。また、冷媒配管１５を基準として、ボード１４の第１の面１３側には、ボード１４を構成する樹脂よりも熱伝導率の良好なアルミニウムの線材が混入された熱伝導部２０が設けられ、冷媒配管１５の熱は熱伝導部２０に伝わり易く、熱伝導部２０が冷却されることにより、第１の面１３は、更に冷却され易くなる。
【００３８】
更に、ボード１４の第１の面１３の裏面である第２の面２１側には、ボード１４を構成する樹脂よりも熱伝導率の悪いレンガの粒が混入された断熱部２２が設けられ、第２の面２１側には、熱が伝わり難いので、第１の面１３に熱が伝わり易くなる。このように、冷媒配管１５から棺桶１１の底板１２に当接する第１の面１３への総合熱伝達率が、その裏面側の第２の面２１に対する総合熱伝達率より大きくなり、棺桶１１の底板１２を効率よく冷却することができる。
また、ボード１４の第１の面１３側には、第１の面１３と棺桶１１の底板１２が凍り付いて分離できないときに、氷を解かすヒータを埋設してもよい。
【００３９】
図３〜図６を参照して、本発明の第２の実施の形態に係る冷却装置３０について説明する。なお、冷却装置１０と同一の構成要素については同一の番号を付してその詳しい説明を省略する。
冷却装置３０は、例えば、寿司店等のカウンターに備えられ、冷却対象物の一例である図示しない寿司や寿司ネタ等の生鮮食料品を陳列し、冷却する装置である。
【００４０】
図３及び図４に示すように、冷却装置３０は、生鮮食料品を載せる第１の面３１を有し、平面視して前後方向（ここで、客のいる方を前方とする）が短く、左右方向に長く形成された樹脂製、例えば、ポリスチレン製のボード３２を有している。また、冷却装置３０は、ボード３２を収納し、上方開放となった陳列棚本体３３と、陳列棚本体３３のボード３２よりも上方部分には、生鮮食料品が見えるよう前面及び上面が一体的に形成されたガラス板３４と、更に、生鮮食料品の出し入れ可能なガラス製の２つのスライド扉３６、３７が設けられた後面３８と、陳列棚本体３３と一体に形成された左右の側壁３９、４０とが設けられた陳列棚４１を有している。
【００４１】
図５に示すように、ボード３２内には、内部に冷媒を流す冷媒配管４２が配置されている。冷媒配管４２の両端部は、ボード３２の後面３８側外部、つまり、陳列棚本体３３にボード３２を収納した際の後面３８側に冷媒を供給するための継ぎ手４３、４４が設けられている。継ぎ手４３、４４は、ボード３２を陳列棚本体３３に収納した際に、陳列棚本体３３から突出して配置されている。
図４に示すように、冷却装置３０は、継ぎ手４３、４４にそれぞれ接続されたフレキシブルチューブ４５、４６を介して、冷媒を送る冷凍機１９が接続されている。
【００４２】
図６に示すように、冷媒配管４２は、ボード３２の上方、つまり、第１の面３１に近づけて配置され、冷媒配管４２から生鮮食料品の当接する第１の面３１への総合熱伝達率が、その裏面側の第２の面４７に対する総合熱伝達率より大きくなっている。更に、ボード３２を陳列棚本体３３に収納する際、第２の面４７の下方、つまり、ボード３２の下部に、断熱材の一例である板状に形成された発泡スチロール板４８が配置され、ボード３２下部の断熱性を高めている。
【００４３】
次に、冷却装置３０を使用した生鮮食料品の冷却方法について説明する。
冷凍機１９から送られる冷媒は、フレキシブルチューブ４５、４６、継ぎ手４３、４４を介して、冷媒配管４２に供給され循環して、直接の熱伝導により、樹脂製のボード３２が冷却される。更に、冷却されたボード３２の熱伝導によって、スライド扉３６、３７から陳列棚４１内に入れられ、第１の面３１に載せられた生鮮食料品を冷却することができる。
また、肉屋や魚屋等では、陳列棚本体の上部のガラス板や側壁を取り除き、肉や魚等の生鮮食料品をボードに載せ、生鮮食料品を陳列し、冷却すると共に、客が生鮮食料品を取れるようにすることもできる。
【００４４】
図７及び図８を参照して、本発明の第３の実施の形態に係る冷却装置５０について説明する。
図７に示すように、冷却装置５０は、冷却対象物の一例である水の通る供給配管５１と、供給配管５１の周囲に螺旋状に巻き付けて設けられる冷媒の通る冷媒配管５２と、供給配管５２と冷媒配管５２との隙間を充填し、かつ、供給配管５１及び冷媒配管５２を密着して覆う樹脂体５３と、冷媒配管５２に冷媒を送る図示しない冷媒冷却手段の一例である冷凍機とを有している。
【００４５】
図８に示すように、、例えば、ポリスチレンで形成された樹脂体５３は、冷媒配管５２の外側に厚みを有して設けられ、更に、樹脂体５３の供給配管５１と冷媒配管５２との間には、樹脂体５３を構成する樹脂よりも熱伝導率の良好な物質、例えば、アルミニウム粉末が混入された熱伝導部５４が形成され、樹脂体５３の冷媒配管５２から外側には、樹脂体５３を構成する樹脂よりも熱伝導率の悪い物質、例えばレンガの粒が混入された断熱部５５が形成されている。これによって、樹脂体５３の供給配管５１と冷媒配管５２との間の総合熱伝達率が、樹脂体５３の冷媒配管５２から外側の総合熱伝達率より大きくなっている。
【００４６】
次に、冷却装置５０を使用した水の冷却方法について説明する。
図７に示すように、水の通る供給配管５１の周囲に設けられる冷媒配管５２に冷凍機から図示しないフレキシブルチューブ及び継ぎ手を介して、冷媒を送り、供給配管５１と冷媒配管５２の間の隙間に充填された樹脂体５３の熱伝導部５４を介して、供給配管５１内の水を冷却する。
冷却装置５０は、供給配管５１と冷媒配管５２との間の総合熱伝達率が、樹脂体５３の冷媒配管５２から外側の総合熱伝達率より大きく形成されているので、水を効率よく冷却することができる。
【００４７】
図９を参照して、本発明の第４の実施の形態に係る冷却装置６０について説明する。
冷却装置６０は、冷却対象物の一例であるコンデンサ６１の周囲に設けられる冷媒配管６２と、コンデンサ６１と冷媒配管６２との隙間を充填し、かつ、コンデンサ６１及び冷媒配管６２を密着して覆う樹脂体６３と、冷媒配管６２に冷媒を送る冷媒冷却手段の一例である図示しない冷凍機とを有している。
【００４８】
また、樹脂体６３は、冷媒配管６２の外側に厚みを有して設けられている。これによって、樹脂体６３のコンデンサ６１と冷媒配管６２との間の総合熱伝達率が、樹脂体６３の冷媒配管６２から外側の総合熱伝達率より大きくなっている。
冷凍機から図示しないフレキシブルチューブ及び継ぎ手を介して、冷媒配管６２に冷媒を送り、コンデンサ６１と冷媒配管６２の間の隙間に充填された樹脂体６３を介して、コンデンサ６１を冷却する。
冷却装置６０は、コンデンサ６１と冷媒配管６２との間の総合熱伝達率が樹脂体６３の冷媒配管６２から外側の総合熱伝達率より大きく形成されているので、コンデンサ６１を効率よく冷却することができる。
【００４９】
本発明は、前記した実施の形態に限定されるものではなく、本発明の要旨を変更しない範囲での変更は可能であり、例えば、前記したそれぞれの実施の形態や変形例の一部又は全部を組み合わせて本発明の冷却装置及び冷却方法を構成する場合も本発明の権利範囲に含まれる。
例えば、前記実施の形態の冷却装置において、ボード及び樹脂体として、ポリスチレンを用いたが、この限りではない。また、熱伝導部として、アルミニウムを用いたが、用いる樹脂よりも熱伝導率の良好な物質を混入すればよい。更に、レンガの粒を樹脂に混合して、断熱部を形成したが、用いる樹脂よりも熱伝導率の悪い物質を樹脂に混入して断熱部を形成してもよく、また、樹脂に気泡を含有させて断熱部を形成しても良く、更には、樹脂に熱伝導率の悪い物質を混入すると共に、気泡を含有させて断熱部を形成してもよい。
【００５０】
【発明の効果】
請求項１及びこれに従属する請求項３〜５記載の冷却装置においては、冷却対象物に当接させる第１の面が平面状となった樹脂製のボードと、ボード内に配置されて内部に冷媒を流す冷媒配管と、冷媒配管に冷媒を送る冷媒冷却手段とを有し、しかも、冷媒配管から冷却対象物の当接する第１の面への総合熱伝達率が、その裏面側の第２の面に対する総合熱伝達率より大きくなっているので、冷却対象物を効率よく冷却することができる。また、冷媒配管に０℃未満の冷媒を通した場合、冷媒配管の外側管面が空気中の水分と触れることがないので、外側管面は凍り付かず、ボードを０℃未満に冷却することができる。更に、第１の面が平面となっているので、冷却対象物を、第１の面に当接し易い。
【００５１】
請求項２及びこれに従属する請求項３〜５記載の冷却装置においては、冷却対象物を載せる第１の面を有する樹脂製のボードと、ボード内に配置されて内部に冷媒を流す冷媒配管と、冷媒配管に冷媒を送る冷媒冷却手段とを有し、しかも、冷媒配管から冷却対象物の当接する第１の面への総合熱伝達率が、その裏面側の第２の面に対する総合熱伝達率より大きくなっているので、冷却対象物を効率よく冷却することができる。また、冷媒配管に０℃未満の冷媒を通した場合、冷媒配管の外側管面が空気中の水分と触れることがないので、外側管面は凍り付かず、ボードを０℃未満に冷却することができる。
【００５２】
特に、請求項３記載の冷却装置においては、冷媒配管は、ボード内で第１の面側に近づけて配置されているので、冷媒配管から冷却対象物の当接する第１の面への総合熱伝達率を、その裏面側の第２の面に対する総合熱伝達率より大きくすることができ、冷却対象物を効率よく冷却することができる。
請求項４記載の冷却装置においては、冷媒配管を基準として、ボードの第１の面側には、ボードを構成する樹脂よりも熱伝導率の良好な物質が混入された熱伝導部が形成されているので、熱伝導が良好な熱伝導部が冷却され、その周りのボードが冷却され、ボードを介して、冷却対象物が効率よく冷却される。
【００５３】
請求項５記載の冷却装置においては、冷媒配管を基準として、ボードの第２の面側には、（１）ボードを構成する樹脂よりも熱伝導率の悪い物質が混入された断熱部、（２）ボード内に気泡を含有させた断熱部、及び（３）ボードを構成する樹脂よりも熱伝導率の悪い物質が混入された断熱部とボード内に気泡を含有させた断熱部のいずれか１が設けられているので、熱伝導率の悪い断熱部によって、冷却対象物と接しない第２の面側は冷却されず、第１の面を冷却することができる。
【００５４】
請求項６〜８記載の冷却装置においては、冷却対象物の通る供給配管と、供給配管の周囲に設けられる冷媒配管と、供給配管と冷媒配管との隙間を充填し、かつ、供給配管及び冷媒配管を密着して覆う樹脂体と、冷媒配管に冷媒を送る冷媒冷却手段とを有し、しかも、樹脂体の供給配管と冷媒配管との間の総合熱伝達率が、樹脂体の冷媒配管から外側の総合熱伝達率より大きくなっているので、冷却対象物を効率よく冷却することができる。また、冷媒配管に０℃未満の冷媒を通した場合、冷媒配管の外側管面が空気中の水分と触れることがないので、外側管面は凍り付かず、樹脂体を０℃未満に冷却することができる。
【００５５】
特に、請求項７記載の冷却装置においては、樹脂体の供給配管と冷媒配管との間には、樹脂体を構成する樹脂よりも熱伝導率の良好な物質が混入された熱伝導部が形成されているので、熱伝導が良好な熱伝導部が冷却され、その周りの樹脂体が冷却され、樹脂体を介して、冷却対象物が効率よく冷却される。
【００５６】
請求項８記載の冷却装置においては、樹脂体の冷媒配管から外側には、（１）樹脂体を構成する樹脂よりも熱伝導率の悪い物質が混入された断熱部、（２）樹脂体内に気泡を含有させた断熱部、及び（３）樹脂体を構成する樹脂よりも熱伝導率の悪い物質が混入された断熱部と樹脂体に気泡を含有させた断熱部のいずれか１が設けられているので、熱伝導率の悪い断熱部によって、冷却対象物と接しない樹脂体の冷媒配管から外側は冷却されず、樹脂体の供給配管と冷媒配管との間を冷却することができる。
【００５７】
請求項９〜１１記載の冷却装置においては、冷却対象物の周囲に設けられる冷媒配管と、冷却対象物と冷媒配管との隙間を充填し、かつ、冷却対象物及び冷媒配管を密着して覆う樹脂体と、冷媒配管に冷媒を送る冷媒冷却手段とを有し、しかも、樹脂体の冷却対象物と冷媒配管との間の総合熱伝達率が、樹脂体の冷媒配管から外側の総合熱伝達率より大きくなっているので、冷却対象物を効率よく冷却することができる。また、冷媒配管に０℃未満の冷媒を通した場合、冷媒配管の外側管面が空気中の水分と触れることがないので、外側管面は凍り付かず、樹脂体を０℃未満に冷却することができる。
【００５８】
特に、請求項１０記載の冷却装置においては、樹脂体の冷却対象物と冷媒配管との間には、樹脂体を構成する樹脂よりも熱伝導率の良好な物質が混入された熱伝導部が形成されているので、熱伝導が良好な熱伝導部が冷却され、その周りの樹脂体が冷却され、樹脂体を介して、冷却対象物が効率よく冷却される。
【００５９】
請求項１１記載の冷却装置においては、樹脂体の冷媒配管から外側には、（１）樹脂体を構成する樹脂よりも熱伝導率の悪い物質が混入された断熱部、（２）樹脂体内に気泡を含有させた断熱部、及び（３）樹脂体を構成する樹脂よりも熱伝導率の悪い物質が混入された断熱部と樹脂体に気泡を含有させた断熱部のいずれか１が設けられているので、熱伝導率の悪い断熱部によって、冷却対象物と接しない樹脂体の冷媒配管から外側は冷却されず、冷却対象物と冷媒配管との間の樹脂体を冷却することができる。
【００６０】
請求項１２記載の冷却方法においては、冷却対象物に当接させる第１の面が平面状となった樹脂製のボード又は冷却対象物を載せる第１の面を有する樹脂製のボードに冷却対象物を当接させ、ボード内に配置された冷媒配管内に冷媒冷却手段から冷媒を送り、しかも、ボードは、冷媒配管から冷却対象物の当接する第１の面への総合熱伝達率が、その裏面側の第２の面に対する総合熱伝達率より大きく形成され、ボードを介して、冷却対象物を効率よく冷却するので、冷媒配管内に冷媒を送るだけで、ボードに当接又は載置した冷却対象物を冷却することができる。また、ボードを０℃未満に冷却することができ、冷却対象物を０℃未満に冷却することができる。更に、冷媒配管から冷却対象物の当接する第１の面を、第２の面よりも低温に冷却することができ、第１の面に当接する冷却対象物を効率よく冷却することができる。
【００６１】
請求項１３記載の冷却方法においては、冷却対象物の通る供給配管の周囲に設けられる冷媒配管に冷媒冷却手段から冷媒を送り、しかも、供給配管と冷媒配管との隙間を充填し、かつ、供給配管及び冷媒配管を密着して覆う樹脂体は、供給配管と冷媒配管との間の総合熱伝達率が、樹脂体の冷媒配管から外側の総合熱伝達率より大きく形成され、樹脂体を介して、冷却対象物を効率よく冷却するので、冷媒配管内に冷媒を送るだけで、樹脂体を介して、供給配管内の冷却対象物を冷却することができる。また、樹脂体を０℃未満に冷却することができ、冷却対象物を０℃未満に冷却することができる。更に、樹脂体の供給配管と冷媒配管との間を、樹脂体の冷媒配管から外側よりも低温に冷却することができ、供給配管内の冷却対象物を効率よく冷却することができる。
【００６２】
請求項１４記載の冷却方法においては、冷却対象物の周囲に設けられる冷媒配管に冷媒冷却手段から冷媒を送り、しかも、冷却対象物と冷媒配管との隙間を充填し、かつ、冷却対象物及び冷媒配管を密着して覆う樹脂体は、冷却対象物と冷媒配管との間の総合熱伝達率が、樹脂体の冷媒配管から外側の総合熱伝達率より大きく形成され、樹脂体を介して、冷却対象物を効率よく冷却するので、冷媒配管内に冷媒を送るだけで、樹脂体を介して、冷却対象物を冷却することができる。また、樹脂体を０℃未満に冷却することができ、冷却対象物を０℃未満に冷却することができる。更に、樹脂体の冷却対象物と冷媒配管との間を、樹脂体の冷媒配管から外側よりも低温に冷却することができ、冷却対象物を効率よく冷却することができる。
【図面の簡単な説明】
【図１】本発明の第１の実施の形態に係る冷却装置の側断面図である。
【図２】同冷却装置の冷媒配管を配置した樹脂製のボードの平断面図である。
【図３】本発明の第２の実施の形態に係る冷却装置の正面側の斜視図である。
【図４】同冷却装置の背面側の斜視図である。
【図５】同冷却装置の平断面図である。
【図６】同冷却装置の側断面図である。
【図７】本発明の第３の実施の形態に係る冷却装置の説明図である。
【図８】同冷却装置の要部断面図である。
【図９】本発明の第４の実施の形態に係る冷却装置の説明図である。
【符号の説明】
１０：冷却装置、１１：棺桶、１２：底板、１３：第１の面、１４：ボード、１５：冷媒配管、１６、１７：継ぎ手、１８、１８ａ：フレキシブルチューブ、１９：冷凍機、２０：熱伝導部、２１：第２の面、２２：断熱部、３０：冷却装置、３１：第１の面、３２：ボード、３３：陳列棚本体、３４：ガラス板、３６、３７：スライド扉、３８：後面、３９、４０：側壁、４１：陳列棚、４２：冷媒配管、４３、４４：継ぎ手、４５、４６：フレキシブルチューブ、４７：第２の面、４８：発泡スチロール板、５０：冷却装置、５１：供給配管、５２：冷媒配管、５３：樹脂体、５４：熱伝導部、５５：断熱部、６０：冷却装置、６１：コンデンサ、６２：冷媒配管、６３：樹脂体
【図１】
2004347296.tif 000003
【図２】
2004347296.tif 000004
【図３】
2004347296.tif 000005
【図４】
2004347296.tif 000006
【図５】
2004347296.tif 000007
【図６】
2004347296.tif 000008
【図７】
2004347296.tif 000009
【図８】
2004347296.tif 000010
【図９】
2004347296.tif 000011